(57)【要約】      （修正有）【課題】表示対象の特徴に合った表示を行える表示システム及び撮影装置を提供する。【解決手段】撮影装置において、制御部は、撮影により得られた表示対象の人物の画像からその人物の特徴を認識し、認識された特徴を示す情報を対応付けて通信部によりデジタルサイネージ装置に送信する。デジタルサイネージ装置においては、表示対象の人物の画像に対応付けられている当該人物の特徴を示す情報に基づいて画像形成部における表示領域を決定し、決定された表示領域内に表示対象の人物が表示されるように表示対象の人物の画像を変形し、変形された画像を画像形成部の決定された表示領域に表示する。【選択図】図８
2015105987.tif 000002
【特許請求の範囲】
【請求項１】
表示対象物の画像を表示する表示手段と、
前記表示対象物の画像から前記表示対象物の特徴を認識する認識手段と、
前記認識された特徴に基づいて、前記表示手段における前記表示対象物の表示領域を決定する決定手段と、
前記決定された表示領域内に前記表示対象物が表示されるように前記表示対象物の画像を変形する変形手段と、
前記変形された前記表示対象物の画像を前記表示手段の前記決定された表示領域に表示する表示制御手段と、
を備える表示システム。
【請求項２】
前記決定手段は、前記認識された特徴に基づいて、前記表示手段における前記表示対象物の表示領域を、前記表示手段の予め定められた最大表示領域の縦方向又は横方向の少なくとも一方に縮小又は拡大することによって当該最大表示領域の縦横比を変えた領域に決定し、
前記変形手段は、前記決定された表示領域に応じて前記表示対象物の画像を縮小又は拡大する請求項１に記載の表示システム。
【請求項３】
前記決定手段は、前記表示対象物の前記認識された特徴が強調又は減弱されるように前記表示手段における前記表示対象物の表示領域を決定する請求項１又は２に記載の表示システム。
【請求項４】
前記表示システムは、撮影装置と、表示装置とを含んで構成され、
前記撮影装置は、前記表示対象物の画像を撮影する撮影手段と、前記認識手段と、前記撮影手段により得られた前記表示対象物の画像に前記認識された前記表示対象物の特徴を示す情報を対応付けて前記表示装置に送信する送信手段とを備え、
前記表示装置は、前記撮影装置から送信された前記表示対象物の画像及び前記表示対象物の特徴を示す情報を受信する受信手段と、前記決定手段と、前記変形手段と、前記表示手段と、前記表示制御手段とを備える請求項１〜３の何れか一項に記載の表示システム。
【請求項５】
前記表示システムは、撮影装置と、表示装置とを含んで構成され、
前記撮影装置は、前記表示対象物の画像を撮影する撮影手段と、前記認識手段と、前記決定手段と、前記変形手段と、前記変形手段により変形された表示対象物の画像を前記表示装置に送信する送信手段とを備え、
前記表示装置は、前記撮影装置から送信された前記表示対象物の画像及び前記表示対象物の特徴を示す情報を受信する受信手段と、前記表示手段と、前記表示制御手段とを備える請求項１〜３の何れか一項に記載の表示システム。
【請求項６】
前記撮影装置は、
前記撮影手段により撮影しようとする画像を表示する画面において、前記表示手段の前記決定された表示領域に対応する領域を示すガイド枠を表示する請求項５に記載の表示システム。
【請求項７】
表示対象物の画像及び当該表示対象物の特徴を示す情報を受信する受信手段と、
前記受信した前記表示対象物の特徴を示す情報に基づいて、前記表示対象物の画像を表示する表示手段における前記表示対象物の表示領域を決定する決定手段と、
前記決定された表示領域内に前記表示対象物が表示されるように前記表示対象物の画像を変形する変形手段と、
前記変形された前記表示対象物の画像を前記表示手段の前記決定された表示領域に表示する表示制御手段と、
を備える表示装置。
【請求項８】
表示装置に表示する表示対象物を撮影する撮影手段と、
前記撮影手段により取得された前記表示対象物の画像から前記表示対象物の特徴を認識する認識手段と、
前記認識された特徴に基づいて、前記表示装置における前記表示対象物の表示領域を決定する決定手段と、
前記決定された表示領域内に前記表示対象物が表示されるように前記表示対象物の画像を変形する変形手段と、
前記変形された前記表示対象物の画像を前記表示装置に送信する送信手段と、
を備える撮影装置。
【請求項９】
表示対象物の画像から前記表示対象物の特徴を認識する工程と、
前記認識された特徴に基づいて、前記表示対象物の画像を表示する表示手段における前記表示対象物の表示領域を決定する工程と、
前記決定された表示領域内に前記表示対象物が表示されるように前記表示対象物の画像を変形する工程と、
前記変形された前記表示対象物の画像を前記表示手段の前記決定された表示領域に表示する工程と、
を含む表示方法。
【請求項１０】
コンピュータを、
表示対象物の画像及び当該表示対象物の特徴を示す情報を受信する受信手段、
前記受信した前記表示対象物の特徴を示す情報に基づいて、前記表示対象物の画像を表示する表示手段における前記表示対象物の表示領域を決定する決定手段、
前記決定された表示領域内に前記表示対象物が表示されるように前記表示対象物の画像を変形する変形手段、
前記変形された前記表示対象物の画像を前記表示手段の前記決定された表示領域に表示する表示制御手段、
として機能させるためのプログラム。
【請求項１１】
表示装置に表示する表示対象物を撮影する撮影装置に用いられるコンピュータを、
撮影により取得された前記表示対象物の画像から前記表示対象物の特徴を認識する認識手段、
前記認識された特徴に基づいて、前記表示装置における前記表示対象物の表示領域を決定する決定手段、
前記決定された表示領域内に前記表示対象物が表示されるように前記表示対象物の画像を変形する変形手段、
前記変形された前記表示対象物の画像を前記表示装置に送信する送信手段、
として機能させるためのプログラム。
【発明の詳細な説明】
【技術分野】
【０００１】
本発明は、表示システム、表示装置、撮影装置、表示方法及びプログラムに関する。
【背景技術】
【０００２】
従来、映像供給装置に接続される映像出力装置と、反射部材と、スクリーンとを有し、映像出力装置からコンテンツを投影する出力光を反射部材によって反射し、この反射部材によって反射された出力光を当該コンテンツの輪郭の形状に形成されたスクリーンに投影することにより、閲覧者に対して印象を高めた表示を行うことができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、特許文献１に記載の映像出力装置搭載機器では、表示手段であるスクリーンの形状が予め決められた表示対象の輪郭の形状に形成されており、表示時にはその表示対象をそのままスクリーンに表示するだけである。そのため、１つのスクリーンに複数の対象を入れ替えて表示するような場合に、表示対象の特徴をとらえてその特徴に合った表示を行うことはできない。
【０００５】
本発明の課題は、表示対象の特徴に合った表示を行えるようにすることである。
【課題を解決するための手段】
【０００６】
上記課題を解決するため、請求項１に記載の発明の表示システムは、
表示対象物の画像を表示する表示手段と、
前記表示対象物の画像から前記表示対象物の特徴を認識する認識手段と、
前記認識された特徴に基づいて、前記表示手段における前記表示対象物の表示領域を決定する決定手段と、
前記決定された表示領域内に前記表示対象物が表示されるように前記表示対象物の画像を変形する変形手段と、
前記変形された前記表示対象物の画像を前記表示手段の前記決定された表示領域に表示する表示制御手段と、
を備える。
【発明の効果】
【０００７】
本発明によれば、表示対象の特徴に合った表示を行うことが可能となる。
【図面の簡単な説明】
【０００８】
【図１】本実施形態における表示システムの全体構成を示す図である。
【図２】図１の撮影装置の機能的構成を示すブロック図である。
【図３】図１のデジタルサイネージ装置の機能的構成を示すブロック図である。
【図４】画像データ記憶部のデータ格納例を示す図である。
【図５】幅縮小率決定テーブルのデータ格納例を示す図である。
【図６】図３のスクリーン部の概略構成を示す図である。
【図７】図２の制御部により実行されるコンテンツ撮影処理を示すフローチャートである。
【図８】図３の制御部により実行される再生制御処理を示すフローチャートである。
【図９】決定された表示領域の一例を示す図である。
【図１０】第２の実施形態において図２の制御部により実行されるコンテンツ撮影処理Ｂを示すフローチャートである。
【発明を実施するための形態】
【０００９】
以下、添付図面を参照して本発明に係る好適な実施形態を詳細に説明する。なお、本発明は、図示例に限定されるものではない。
【００１０】
＜第１の実施形態＞
［表示システム１００の構成］
図１は、第１の実施形態における表示システム１００の概略構成を示すブロック図である。表示システム１００は、撮影装置１と、デジタルサイネージ装置２とが有線又は無線により通信接続可能に構成されている。
【００１１】
［撮影装置１の構成］
図２は、撮影装置１の主制御構成を示すブロック図である。
図２に示すように、撮影装置１は、制御部１１、操作部１２、表示部１３、撮像部１４、記憶部１５、通信部１６等を備えて構成されている。図２に示すように、操作部１２、表示部１３、撮像部１４、記憶部１５、通信部１６は、制御部１１に接続されている。
【００１２】
制御部１１は、記憶部１５に記憶されている各種のプログラムを実行して所定の演算や各部の制御を行うＣＰＵ（Central Processing Unit）とプログラム実行時の作業領域となるメモリとを備えている（いずれも図示略）。制御部１１は、記憶部１５のプログラム記憶部１５１に記憶されているプログラムとの協働により、認識手段として機能する。
【００１３】
操作部１２は、電源スイッチ、シャッターキー、各種機能キー、各種モードキー等を備えて構成され、その各キー操作に応じた操作信号を制御部１１に出力する。各種モードキーには、後述するコンテンツ撮影処理を実行するコンテンツ撮影モードへの移行を指示するコンテンツ撮影モードキーが含まれる。
【００１４】
表示部１３は、液晶表示パネルや有機ＥＬ表示パネル等の表示パネルにより構成され、制御部１１からの指示に従って、操作画面や撮影しようとする画像を表示するためのライブビュー画面等の各種画面を表示する。
【００１５】
撮像部１４は、光学レンズユニット、ＣＣＤ（Charge Coupled Device）やＣＭＯＳ（Complementary Metal-oxide Semiconductor）等のイメージセンサ等からなる撮像素子、Ａ／Ｄ変換回路等を備えて構成され、光学系を通過した光学像を２次元の画像信号に変換し、撮影画像の画像データを取得する。
【００１６】
記憶部１５は、ＨＤＤ（Hard Disk Drive）や不揮発性の半導体メモリ等により構成される。記憶部１５には、図２に示すように、プログラム記憶部１５１、ガイド枠記憶部１５２が設けられている。
プログラム記憶部１５１には、制御部１１によって実行される各種プログラム及びこれらプログラムの実行に必要なデータ等が記憶されている。
ガイド枠記憶部１５２には、デジタルサイネージ装置２への表示対象となる人物を撮影する際に使用される、画像形成部２７（図６参照）の最大表示領域に対応する領域を示すガイド枠等が記憶されている。画像形成部２７の最大表示領域は、ここでは画像形成部２７のスクリーン領域全体とするが、スクリーン領域全体に対し所定値αの余白を設けた領域としてもよい。
【００１７】
通信部１６は、デジタルサイネージ装置２と通信接続し、データ送受信を行う。デジタルサイネージ装置２との接続は、例えば、無線ＬＡＮ（Local Area Network）、Bluetooth（登録商標）等による無線接続であってもよいし、例えば、ＵＳＢ（Universal Serial Bus）ケーブル等を用いた有線接続であってもよく、その通信方式は特に限定されない。通信部１６は、送信手段として機能する。
【００１８】
［デジタルサイネージ装置２の構成］
図３は、表示装置としてのデジタルサイネージ装置２の主制御構成を示すブロック図である。デジタルサイネージ装置２は、コンテンツを再生する装置である。例えば、店舗や展示会会場などに設置され、商品の説明、案内、アンケート等のコンテンツを再生するものであってもよいし、介護施設等に設置され、脳活性化のための問題を出題するコンテンツを再生するものであってもよく、その用途は特に限定されない。なお、本実施形態において、コンテンツは、人物が何等かの説明や案内を行うものとするが、これに限定されるものではない。
【００１９】
図３に示すように、デジタルサイネージ装置２は、コンテンツの映像光を照射する投影部２１と、投影部２１から照射された映像光を背面で受けて前面に投影するスクリーン部２２とを備えている。
【００２０】
まず、投影部２１について説明する。
投影部２１は、制御部２３と、プロジェクタ２４と、記憶部２５と、通信部２６と、を備えている。プロジェクタ２４、記憶部２５、通信部２６は、図３に示すように制御部２３に接続されている。
【００２１】
制御部２３は、記憶部２５に記憶されている各種のプログラムを実行して所定の演算や各部の制御を行うＣＰＵとプログラム実行時の作業領域となるメモリとを備えている（いずれも図示略）。制御部２３は、記憶部２５のプログラム記憶部２５１に記憶されているプログラムとの協働により、決定手段、変形手段、表示制御手段として機能する。
【００２２】
プロジェクタ２４は、制御部２３から出力された画像データを映像光に変換してスクリーン部２２の画像形成部２７（図６参照）に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。本実施形態のように、表示対象物が画像中の人物である場合には、人物領域に対応する位置の微小ミラーをオンし、その他の領域をオフすることで、人物のみを投影（表示）することが可能となる。
【００２３】
記憶部２５は、ＨＤＤや不揮発性の半導体メモリ等により構成される。記憶部２５には、図３に示すように、プログラム記憶部２５１、画像データ記憶部２５２、音声データ記憶部２５３、幅縮小率決定テーブル２５４等が設けられている。
【００２４】
プログラム記憶部２５１には、制御部２３で実行されるシステムプログラムや各種処理プログラム、これらのプログラムの実行に必要なデータ等が記憶されている。
画像データ記憶部２５２には、図４に示すように、コンテンツ再生時において表示対象となる人物の画像データ（人物画像）と、その画像中の人物の特徴を示す情報（ここでは、年齢）とが対応付けて記憶されている。この人物画像は、撮影装置１により撮影された撮影画像である。なお、本実施形態においては、人物の特徴を年齢として説明するが、例えば、男女、体型等の他の特徴としてもよく、これに限定されるものではない。
音声データ記憶部２５３には、コンテンツの音声出力用のテキストデータが記憶されている。
幅縮小率決定テーブル２５４には、図５に示すように、人物の特徴と、その特徴の人物を画像形成部２７に表示するときの表示領域の幅の縮小率（ここでは、画像形成部２７の最大表示領域に対する幅（横方向）の縮小率）が記憶されている。
【００２５】
通信部２６は、撮影装置１と通信接続し、データ送受信を行う。撮影装置１との接続は、例えば、無線ＬＡＮ、Bluetooth等による無線接続であってもよいし、例えば、ＵＳＢケーブル等を用いた有線接続であってもよく、その通信方式は特に限定されない。通信部２６は、受信手段として機能する。
【００２６】
次に、スクリーン部２２について説明する。
図６は、スクリーン部２２の概略構成を示す正面図である。図６に示すようにスクリーン部２２には、画像形成部２７と、画像形成部２７を支持する台座２８とが備えられている。
【００２７】
画像形成部２７は、映像光の照射方向に対して略直交するように配置された、例えばアクリル板などの人型に成形された一枚の透光板２９に、フィルム状のフレネルレンズが積層された背面投影用のフィルムスクリーンが貼付されて構成されたスクリーンである。この画像形成部２７と前述したプロジェクタ２４とにより表示手段を構成している。
【００２８】
台座２８には、ボタン式の操作部３２と、音声を出力するスピーカなどの音声出力部３３と、人感センサ３４等が設けられている。
操作部３２、音声出力部３３、人感センサ３４は、図１に示すように制御部２３に接続されている。
【００２９】
［表示システム１００の動作］
次に、第１の実施形態における表示システム１００の動作について説明する。
まず、撮影装置１の動作について説明する。
図７に、撮影装置１において実行されるコンテンツ撮影処理のフローチャートを示す。コンテンツ撮影処理は、デジタルサイネージ装置２においてコンテンツ再生時に表示対象となる人物の画像を撮影するための処理であり、操作部１２のコンテンツ撮影モードキーが押下された際に、制御部１１とプログラム記憶部１５１に記憶されているプログラムとの協働により実行される。
【００３０】
制御部１１は、まず、撮像部１４により画像の取り込みを開始させ、取り込まれた画像を確認用にリアルタイムに表示するライブビュー画面を表示部１３に表示させる（ステップＳ１）。
【００３１】
次いで、制御部１１は、記憶部１５のガイド枠記憶部１５２からガイド枠のデータを読み出し、表示部１３のライブビュー画面上に表示させる（ステップＳ２）。
ここで、被写体の人物を表示されたガイド枠に合わせて撮影を行うことで、デジタルサイネージ装置２においてこの撮影により得られた人物画像を投影したときに人物の投影像を画像形成部２７の最大表示領域に合わせることができる。
【００３２】
次いで、制御部１１は、操作部１２の操作に従って撮影を行う（ステップＳ３）。即ち、操作部１２のシャッターキーの押下に従って、撮像部１４により取り込まれた人物画像の画像データをメモリの撮影画像記憶領域に記憶させさせるとともに、表示部１３に表示させる。
【００３３】
次いで、制御部１１は、撮影により取得された人物画像から被写体の年齢を認識する（ステップＳ４）。被写体の年齢の認識は、例えば、取得された人物画像から顔認識を行い、認識された顔の特徴に基づいて年齢を推定する公知の年齢推定技術を用いて認識することができる。また、例えば、特開２０１３−２１８３９３号公報に記載のように、人物画像から被写体の人体領域を検出し、人体のサイズ、例えば、頭部の全体に対する比率や頭部のサイズと肩部のサイズの比率等に基づいて年齢を認識する技術を用いてもよい。
【００３４】
次いで、制御部１１は、撮影により取得された人物画像の画像データにステップＳ４で認識された人物の特徴を示す情報（ここでは、年齢）に対応付けて通信部１６によりデジタルサイネージ装置２に送信し（ステップＳ５）、コンテンツ撮影処理を終了する。
【００３５】
次に、デジタルサイネージ装置２の動作について説明する。
デジタルサイネージ装置２において、通信部２６により撮影装置１から送信された人物画像の画像データ及び年齢の情報が受信されると、制御部２３は、プログラム記憶部２５１に記憶されているプログラムとの協働により、受信した人物画像の画像データと年齢とを対応付けて画像データ記憶部２５２に記憶させる。
【００３６】
また、制御部２３は、人感センサ３４により人が検出されると、再生制御処理を実行し、コンテンツの再生を行う。
【００３７】
図８に、デジタルサイネージ装置２において実行される再生制御処理のフローチャートを示す。再生制御処理は、人感センサ３４により人が検出された際に、制御部２３とプログラム記憶部２５１に記憶されているプログラムとの協働により実行される。
【００３８】
再生制御処理において、まず、制御部２３は、画像データ記憶部２５２に記憶されている表示対象となる人物画像の中からランダムに画像形成部２７に表示する表示画像を決定して読み出す（ステップＳ１１）。
【００３９】
次いで、制御部２３は、画像データ記憶部２５２において決定された表示画像に対応付けて記憶されている年齢を読み出し（ステップＳ１２）、幅縮小率決定テーブル２５４を参照し、読み出した年齢に基づいて、画像形成部２７における表示領域の幅の縮小率を決定する（ステップＳ１３）。
【００４０】
画像形成部２７における表示領域は、一般的に、画像形成部２７のスクリーン領域全体に定められているが、本実施形態では、表示対象となる人物の年齢による特徴を強調させるように、年齢に応じてスクリーン領域全体の表示領域（即ち、最大表示領域）の横方向の幅を縮小した領域を表示対象の人物の表示領域として決定する。
【００４１】
ここで、人体の体型は、年齢によって変化することが知られている。例えば、子供の体型は、大人の体型を全体的に縮小したものではなく、頭部の比率が高くずんぐりしているが、成長するに従って頭部の割合が小さくなり、細長くシャープな印象になってくる。本実施形態においては、表示対象の人物の特徴（年齢による体型）を強調することで、印象を強めた効果的な表示を行う。そのために、ステップＳ１３では、表示画像中の人物を表示する際の表示領域の幅の縮小率を対象人物の年齢に応じて決定する。これにより、例えば、表示対象の年齢が大人の場合は、実際に表示する際の表示領域は、図９に示すように、太線の最大表示領域に対して横方向に（点線の領域に）縮小される。
【００４２】
次いで、制御部２３は、決定した縮小率に基づいて、表示画像を縮小する（ステップＳ１４）。ここで、表示画像は、撮影装置１においてガイド枠に合わせて被写体人物を配置して撮影したものであり、表示画像中の人物領域は、投影時に画像形成部２７の最大表示領域に合ったサイズとなっている。そこで、ステップＳ１３で決定された表示領域に表示画像中の人物領域が合うように、ステップＳ１３で決定された表示領域の幅の縮小率に基づいて、表示画像の幅を縮小する。
【００４３】
次いで、制御部２３は、表示画像に基づいてプロジェクタ２４により投影（コンテンツの表示）を行わせるとともに、音声データ記憶部２５３に記憶されている音声のテキストデータに基づいて、音声出力部３３にコンテンツの音声出力を行わせる（ステップＳ１５）。
具体的には、表示画像から公知の画像処理技術により人物領域を抽出し、表示画像とともにその位置情報をプロジェクタ２４に出力し、表示対象の人物をプロジェクタ２４により画像形成部２７に投影させる。また、制御部２３は、音声データ記憶部２５３に記憶されているコンテンツの音声を示すテキストデータに基づいて音声を合成して音声出力部３３により出力する。更に、音声データ記憶部２５３に記憶されているテキストデータに基づいて、画像形成部２７に表示されている人物が音声に合わせて口パクを行うように表示画像を画像処理してプロジェクタ２４により画像形成部２７に投影（表示）させる。音声の合成や音声に合わせた口パクの画像処理は、公知の技術を用いて行うことができる。
【００４４】
コンテンツの再生が終了すると、制御部２３は、再生制御処理を終了する。
【００４５】
このように、デジタルサイネージ装置２によれば、画像形成部２７に表示する表示対象の特徴に応じて、その特徴を強調するように、画像形成部２７における表示対象の表示領域を決定し、決定した表示領域に基づいて表示画像を縮小して投影を行う。従って、表示対象の特徴を強調した効果的な表示を行うことが可能となる。
【００４６】
＜第２の実施形態＞
次に、本発明の第２の実施形態について説明する。
第１の実施形態においては、デジタルサイネージ装置２において表示対象の特徴に応じて表示領域を決定する場合を例にとり説明したが、第２の実施形態においては、撮影装置１側で表示領域を決定する場合について説明する。
【００４７】
第２の実施形態における表示システム１００の構成は、第１の実施形態で図１〜３を用いて説明したものと略同様であるが、記憶部１５、２５に記憶されている内容が異なる。
第２の実施形態において、幅縮小率決定テーブル２５４は、撮影装置１の記憶部１５に記憶されている。また、プログラム記憶部１５１には、制御部１１が後述するコンテンツ撮影処理Ｂを始めとする各種処理を実行するためのプログラムやプログラムの実行に必要なデータが記憶されている。また、第１の実施形態においては、画像データ記憶部２５２は、人物画像に被写体の特徴を対応付けて記憶することとしたが、この特徴は対応付けられている必要はない。
その他の表示システム１００の構成は、第１の実施形態で説明したものと同様であるので説明を援用する。
【００４８】
次に、第２の実施形態の動作について説明する。
図１０に、第２の実施形態において撮影装置１により実行されるコンテンツ撮影処理Ｂのフローチャートを示す。コンテンツ撮影処理Ｂは、デジタルサイネージ装置２でコンテンツ再生時に表示対象となる人物の画像を撮影するための処理であり、操作部１２のコンテンツ撮影モードキーが押下された際に、制御部１１と記憶部１５のプログラム記憶部１５１に記憶されているプログラムとの協働により実行される。この処理を実行することにより、制御部１１は、認識手段、決定手段、変形手段として機能する。
【００４９】
制御部１１は、まず、撮像部１４により画像の取り込みを開始させ、取り込まれた画像を確認用にリアルタイムに表示するライブビュー画面を表示部１３に表示させる（ステップＳ２１）。
【００５０】
次いで、制御部１１は、記憶部１５のガイド枠記憶部１５２から撮影画像における画像形成部２７の最大表示領域に対応する画像領域を示すガイド枠のデータを読み出し、表示部１３のライブビュー画面上に表示させる（ステップＳ２２）。
【００５１】
次いで、制御部１１は、撮像部１４により取り込まれた人物画像から被写体の年齢を認識する（ステップＳ２３）。被写体の年齢の認識は、図７のステップＳ４で説明したものと同様であるので説明を援用する。
【００５２】
次いで、制御部１１は、認識した年齢に基づいて、記憶部１５に記憶されている幅縮小率決定テーブル２５４を参照し、読み出した年齢に基づいて、画像形成部２７における表示領域の幅の縮小率（画像形成部２７の最大表示領域に対する幅（横方向）の縮小率）を決定する（ステップＳ２４）。
画像形成部２７における表示領域は、一般的に、画像形成部２７のスクリーン領域全体に定められているが、本実施形態では、第１の実施形態と同様に、表示対象となる人物の特徴（ここでは年齢による特徴）を強調させて印象を強めた効果的な表示を行うようにするために、このスクリーン領域全体の表示領域（即ち、最大表示領域）を縦方向又は横方向の何れか一方（本実施形態においては横方向）に縮小した領域を表示対象の人物の表示領域として決定する。
【００５３】
次いで、制御部１１は、決定された表示領域の縮小率に基づいて、ガイド枠の変更の必要があるか否かを判断する（ステップＳ２５）。決定された縮小率が０％である場合、画像形成部２７の表示領域に変化はないので、制御部１１は、ガイド枠の変更は必要ないと判断する。決定された縮小率が０％ではない場合、画像形成部２７の表示領域が変化するため、制御部１１は、ガイド枠の変更が必要であると判断する。
【００５４】
ガイド枠の変更が必要ないと判断した場合（ステップＳ２５；ＮＯ）、制御部１１は、ステップＳ２７の処理に移行する。
ガイド枠の変更が必要であると判断した場合（ステップＳ２５；ＹＥＳ）、制御部１１は、ステップＳ２４で決定された縮小率に基づいて、ガイド枠を変更して表示部１３のライブビュー画面上に表示させ（ステップＳ２６）、ステップＳ２７に移行する。
【００５５】
ステップＳ２６において、制御部１１は、例えば、第１のガイド枠と第２のガイド枠を表示する。第１のガイド枠は、例えば、被写体を配置する際のガイドとなる枠であり、撮影領域における、画像形成部２７の最大表示領域に対応する領域を示す。第２のガイド枠は、撮影領域における、ステップＳ２４で決定された表示領域（即ち、ステップＳ２４で決定された縮小率で最大表示領域を縮小した領域）に対応する画像領域を示す。ここで、後段の処理によって、第１のガイド枠に合わせて配置されて撮影された被写体はこの第２のガイド枠に収まるように幅が縮小されるので、第２のガイド枠を表示することによって、撮影した被写体が投影時にどのように画像形成部２７に表示されるのかのイメージを撮影者に提供することができる。なお、第１のガイド枠と第２のガイド枠の表示イメージは、図９に示したものと同様である。図９の実線枠は、第１のガイド枠に対応し、図９の点線枠は、第２のガイド枠に対応する。
【００５６】
ステップＳ２７において、制御部１１は、操作部１２の操作に従って撮影を行う（ステップＳ２７）。即ち、制御部１１は、操作部１２のシャッターキーの押下に従って、撮像部１４により取り込まれた人物画像の画像データをメモリの撮影画像領域に記憶させるとともに、表示部１３に表示させる。
【００５７】
次いで、制御部１１は、撮影画像領域に記憶された人物画像を決定した縮小率に基づいて縮小する（ステップＳ２８）。ここで、撮影された人物画像は、撮影装置１においてガイド枠に合わせて人物を配置して撮影したものであり、この人物画像中の人物領域は、投影時に画像形成部２７の最大表示領域に合ったサイズとなっている。そこで、ステップＳ２４で決定された縮小率で幅が縮小された表示領域に人物領域が合うように、ステップＳ２４で決定された表示領域の幅の縮小率に基づいて、撮影された人物画像の幅を縮小する。
そして、制御部１１は、生成された人物画像の画像データを通信部１６によりデジタルサイネージ装置２に送信し（ステップＳ２９）、コンテンツ撮影処理Ｂを終了する。
【００５８】
デジタルサイネージ装置２において、通信部２６により撮影装置１から画像データが受信されると、制御部２３は、受信した人物画像の画像データを画像データ記憶部２５２に記憶する。
また、人感センサ３４により人が検出されると、制御部２３は、再生制御処理Ｂを実行する。即ち、画像データ記憶部２５２に記憶されている人物画像の中からランダムに画像形成部２７に表示する表示画像を決定して読み出し、表示画像をプロジェクタ２４により画像形成部２７に投影（表示）するとともに、音声データ記憶部２５３に記憶されているテキストデータに基づいて音声を合成して音声出力部３３により出力する。なお、投影及び音声出力のステップの処理は、図８のステップＳ１５と同様であるので説明を援用する。
【００５９】
以上説明したように、第１の実施形態における表示システム１００によれば、撮影装置１において、制御部１１は、撮影により得られた表示対象の人物の画像からその人物の特徴を認識し、認識された特徴を示す情報を対応付けて通信部１６によりデジタルサイネージ装置２に送信する。デジタルサイネージ装置２においては、表示対象の人物の画像に対応付けられている当該人物の特徴を示す情報に基づいて画像形成部２７における表示領域を決定し、決定された表示領域内に表示対象の人物が表示されるように表示対象の人物の画像を変形し、変形された画像を画像形成部２７の決定された表示領域に表示する。
【００６０】
また、第２の実施形態における表示システム１００によれば、撮影装置１の制御部１１は、撮影により得られた表示対象の人物の画像からその人物の特徴を認識し、認識された特徴に基づいて画像形成部２７における表示領域を決定し、決定された表示領域内に表示対象の人物が表示されるように表示対象の人物の画像を変形し、変形された画像を通信部１６によりデジタルサイネージ装置２に送信する。デジタルサイネージ装置２においては、制御部２３は、表示対象の人物の画像をプロジェクタ２４により画像形成部２７の決定された表示領域に表示させる。
【００６１】
従って、表示対象の特徴に合った表示を行うことが可能となる。
【００６２】
具体的に、制御部１１又は制御部２３は、表示対象の人物の特徴に基づいて、表示対象の表示領域を、画像形成部２７の予め定められた最大表示領域の横幅を縮小することによって当該最大表示領域の縦横比を変えた領域に決定し、決定された表示領域に応じて表示対象物の画像を縮小する。従って、表示対象の人物の特徴を強調した効果的な表示を行うことが可能となる。
【００６３】
また、第２の実施形態において、撮影装置１は、ライブビュー画面に決定された表示領域に対応する領域を示すガイド枠を表示するので、撮影した人物が投影時に画像形成部２７にどのように表示されるのかを撮影者が認識することが可能となる。
【００６４】
なお、上記実施形態における記述内容は、本発明に係るデジタルサイネージ装置の好適な一例であり、これに限定されるものではない。
【００６５】
例えば、上記実施形態においては、最大表示領域の横幅の縮小率のみを表示対象物の特徴に応じて可変した例について説明したが、縦幅について可変することとしてもよい。例えば、表示対象となる人物が子供（０〜５才）の場合、横幅の縮小率を０％、縦の長さの縮小率を５％とすることによって、子供の特徴である横幅を強調することとしてもよい。また、縦横比が変わって表示対象となる人物の特徴が強調されるのであれば、縦方向、横方向の双方を縮小することとしてもよい。
また、画像形成部２７の表示領域に表示画像を投影したときに人物の投影像が画像形成部２７のスクリーン領域からはみ出さなければ、表示領域の縦方向又は横方向の少なくとも一方を拡大して縦横比を変えることにより人物の特徴を強調させてもよい。例えば、表示対象となる人物が子供の場合、横幅の拡大率を５％とすることによって、子供の特徴である横幅を強調することとしてもよい。
【００６６】
また、上記実施形態においては、表示対象の人物の特徴を強調させる場合を例にとり説明したが、表示領域の縦横比の変更によって表示対象の人物の特徴を減弱させることとしてもよい。例えば、特徴を体型とした場合、太っている人（例えば、人体の理想的なバランスに比して、縦に対する横の幅が所定以上）の場合は表示領域の横幅を小さくする、或いは縦幅を大きくすることによって、その特徴を弱めることができる。
【００６７】
また、体型が痩せている人（人体の理想的なバランスに比して、縦に対する横の幅が所定以下）の場合は表示領域の縦幅を小さくする、或いは横幅を大きくすることによって、その特徴を弱めることができる。
【００６８】
また、身長が低い人（人体の理想的なバランスに比して、縦幅が所定以下）の場合は表示領域の縦幅を大きくすることによってその特徴を弱めることができる。
【００６９】
また、身長が高い人（人体の理想的なバランスに比して、縦幅が所定以上）の場合は表示領域の縦幅を小さくすることによってその特徴を弱めることができる。このようにすれば、表示対象の人物を本人等にとって好ましい態様で表示することが可能となる。
また、上記実施形態においては、表示対象物を人物として説明したが、これに限定されず、例えば、動物やキャラクタ等としてもよい。
【００７０】
また、上記実施形態においては、本発明の表示装置をデジタルサイネージ装置に適用した場合を例にとり説明したが、例えば、液晶ディスプレイ、プラズマディスプレイ等、他の表示装置に適用しても同様の効果を奏することができ、この例に限定されない。
【００７１】
その他、デジタルサイネージ装置を構成する各装置の細部構成及び細部動作に関しても、発明の趣旨を逸脱することのない範囲で適宜変更可能である。
【００７２】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
表示対象物の画像を表示する表示手段と、
前記表示対象物の画像から前記表示対象物の特徴を認識する認識手段と、
前記認識された特徴に基づいて、前記表示手段における前記表示対象物の表示領域を決定する決定手段と、
前記決定された表示領域内に前記表示対象物が表示されるように前記表示対象物の画像を変形する変形手段と、
前記変形された前記表示対象物の画像を前記表示手段の前記決定された表示領域に表示する表示制御手段と、
を備える表示システム。
＜請求項２＞
前記決定手段は、前記認識された特徴に基づいて、前記表示手段における前記表示対象物の表示領域を、前記表示手段の予め定められた最大表示領域の縦方向又は横方向の少なくとも一方に縮小又は拡大することによって当該最大表示領域の縦横比を変えた領域に決定し、
前記変形手段は、前記決定された表示領域に応じて前記表示対象物の画像を縮小又は拡大する請求項１に記載の表示システム。
＜請求項３＞
前記決定手段は、前記表示対象物の前記認識された特徴が強調又は減弱されるように前記表示手段における前記表示対象物の表示領域を決定する請求項１又は２に記載の表示システム。
＜請求項４＞
前記表示システムは、撮影装置と、表示装置とを含んで構成され、
前記撮影装置は、前記表示対象物の画像を撮影する撮影手段と、前記認識手段と、前記撮影手段により得られた前記表示対象物の画像に前記認識された前記表示対象物の特徴を示す情報を対応付けて前記表示装置に送信する送信手段とを備え、
前記表示装置は、前記撮影装置から送信された前記表示対象物の画像及び前記表示対象物の特徴を示す情報を受信する受信手段と、前記決定手段と、前記変形手段と、前記表示手段と、前記表示制御手段とを備える請求項１〜３の何れか一項に記載の表示システム。
＜請求項５＞
前記表示システムは、撮影装置と、表示装置とを含んで構成され、
前記撮影装置は、前記表示対象物の画像を撮影する撮影手段と、前記認識手段と、前記決定手段と、前記変形手段と、前記変形手段により変形された表示対象物の画像を前記表示装置に送信する送信手段とを備え、
前記表示装置は、前記撮影装置から送信された前記表示対象物の画像及び前記表示対象物の特徴を示す情報を受信する受信手段と、前記表示手段と、前記表示制御手段とを備える請求項１〜３の何れか一項に記載の表示システム。
＜請求項６＞
前記撮影装置は、
前記撮影手段により撮影しようとする画像を表示する画面において、前記表示手段の前記決定された表示領域に対応する領域を示すガイド枠を表示する請求項５に記載の表示システム。
＜請求項７＞
表示対象物の画像及び当該表示対象物の特徴を示す情報を受信する受信手段と、
前記受信した前記表示対象物の特徴を示す情報に基づいて、前記表示対象物の画像を表示する表示手段における前記表示対象物の表示領域を決定する決定手段と、
前記決定された表示領域内に前記表示対象物が表示されるように前記表示対象物の画像を変形する変形手段と、
前記変形された前記表示対象物の画像を前記表示手段の前記決定された表示領域に表示する表示制御手段と、
を備える表示装置。
＜請求項８＞
表示装置に表示する表示対象物を撮影する撮影手段と、
前記撮影手段により取得された前記表示対象物の画像から前記表示対象物の特徴を認識する認識手段と、
前記認識された特徴に基づいて、前記表示装置における前記表示対象物の表示領域を決定する決定手段と、
前記決定された表示領域内に前記表示対象物が表示されるように前記表示対象物の画像を変形する変形手段と、
前記変形された前記表示対象物の画像を前記表示装置に送信する送信手段と、
を備える撮影装置。
＜請求項９＞
表示対象物の画像から前記表示対象物の特徴を認識する工程と、
前記認識された特徴に基づいて、前記表示対象物の画像を表示する表示手段における前記表示対象物の表示領域を決定する工程と、
前記決定された表示領域内に前記表示対象物が表示されるように前記表示対象物の画像を変形する工程と、
前記変形された前記表示対象物の画像を前記表示手段の前記決定された表示領域に表示する工程と、
を含む表示方法。
＜請求項１０＞
コンピュータを、
表示対象物の画像及び当該表示対象物の特徴を示す情報を受信する受信手段、
前記受信した前記表示対象物の特徴を示す情報に基づいて、前記表示対象物の画像を表示する表示手段における前記表示対象物の表示領域を決定する決定手段、
前記決定された表示領域内に前記表示対象物が表示されるように前記表示対象物の画像を変形する変形手段、
前記変形された前記表示対象物の画像を前記表示手段の前記決定された表示領域に表示する表示制御手段、
として機能させるためのプログラム。
＜請求項１１＞
表示装置に表示する表示対象物を撮影する撮影装置に用いられるコンピュータを、
撮影により取得された前記表示対象物の画像から前記表示対象物の特徴を認識する認識手段、
前記認識された特徴に基づいて、前記表示装置における前記表示対象物の表示領域を決定する決定手段、
前記決定された表示領域内に前記表示対象物が表示されるように前記表示対象物の画像を変形する変形手段、
前記変形された前記表示対象物の画像を前記表示装置に送信する送信手段、
として機能させるためのプログラム。
【符号の説明】
【００７３】
１００  表示システム
１  撮影装置
１１  制御部
１２  操作部
１３  表示部
１４  撮像部
１５  記憶部
１５１  プログラム記憶部
１５２  ガイド枠記憶部
１６  通信部
２  デジタルサイネージ装置
２１  投影部
２２  スクリーン部
２３  制御部
２４  プロジェクタ
２５  記憶部
２５１  プログラム記憶部
２５２  画像データ記憶部
２５３  音声データ記憶部
２５４  幅縮小率決定テーブル
２６  通信部
２７  画像形成部
２８  台座
２９  透光板
３２  操作部
３３  音声出力部
３４  人感センサ
【図１】
2015105987.tif 000003
【図２】
2015105987.tif 000004
【図３】
2015105987.tif 000005
【図４】
2015105987.tif 000006
【図５】
2015105987.tif 000007
【図６】
2015105987.tif 000008
【図７】
2015105987.tif 000009
【図８】
2015105987.tif 000010
【図９】
2015105987.tif 000011
【図１０】
2015105987.tif 000012